(57)【要約】【課題】  立体的な収容空間を保持することができるバックでありながら柔軟であり、かつシート状に展開したり、薄く折り畳んだりすることができるバッグの提供を課題とする。【解決手段】  中央を境界線として重ね合わせることが可能な両片を有したシート体と、重ね合わせた際に対向する前記両片の外縁同士を係脱可能に結合するファスナー手段を有し、前記両片を重ね合わせる際に前記境界線を中心とした所定幅の底壁を形成し、前記底壁の形成に伴って生じる撓み部を下方に折り返して前記底壁の外表面に着脱可能に固定するように構成したことを特徴とする。【選択図】図１
2015073767.tif 000002
【特許請求の範囲】
【請求項１】
中央を境界線として重ね合わせることが可能な両片を有したシート体と、
重ね合わせた際に対向する前記両片の外縁同士を係脱可能に結合するファスナー手段を有し、
前記両片を重ね合わせる際に前記境界線を中心とした所定幅の底壁を形成し、前記底壁の形成に伴って生じる撓み部を下方に折り返して前記底壁の外表面に着脱可能に固定するように構成したことを特徴とするバッグ。
【請求項２】
前記底壁の両側縁には、折り曲げを容易にする肉薄部を設けたことを特徴とする請求項１記載のバッグ。
【請求項３】
前記ファスナー手段がスライドファスナーであることを特徴とする請求項１または請求項２の何れか一項に記載のバッグ。
【請求項４】
前記撓み部を固定する手段がスナップファスナーであることを特徴とする請求項１乃至請求項３の何れか一項に記載のバッグ。
【請求項５】
前記シート体の表面は吸水性のあるタオル生地で形成されていることを特徴とする請求項１乃至請求項４の何れか一項に記載のバッグ。
【請求項６】
前記シート体の裏面には、金属薄膜を有する防水性のシートが設けられていることを特徴とする請求項１乃至請求項５の何れか一項に記載のバッグ。
【発明の詳細な説明】
【技術分野】
【０００１】
本発明はバッグに関するものであり、特にバッグの形態から平坦なシート状の形態に可逆的に変形することができ、さらに当該バッグの表皮となる外装をタオル生地で形成したバッグに関するものである。
【背景技術】
【０００２】
タオル生地を利用した展開可能なポーチとして特許文献１に掲載されているようなタオルポーチが知られている。当該タオルポーチは、矩形に裁断したタオル生地の周囲に折り曲げて対向させた外縁同士を係脱可能に結合できるようにスライドファスナーを取り付けたものである。この構造により、スライドファスナーを開くとシート状に展開された平坦なシート体となり、スライドファスナーを閉じると内部に収容空間を有するポーチを形成するものである。
【０００３】
上記タオルポーチは、ペットボトルや缶に入れて販売されている冷えた飲料や暖かい飲料を収容することで保温、保冷、結露水の吸収等の機能を有するものである。また、化粧品や小物類、衛生用品等を収容して持ち運ぶ際にも利用されている。
当該タオルポーチは、スライドファスナーを除く部分がほぼタオル生地で形成されていて柔軟性があり接触したものを傷つけるおそれが少ないので、主としてバックやカバンの中に入れて持ち運ばれる小物入れとして利用されることが多い。
【先行技術文献】
【特許文献】
【０００４】
【特許文献１】意匠登録第１３５８３３８号
【発明の概要】
【発明が解決しようとする課題】
【０００５】
しかしながら、上記のようなタオルポーチであっても、物品によっては収容空間がある程度形成されていることが望ましい場合がある。例えば、コンビニで買ったサンドイッチと飲料を持ち運ぶ場合には、上記のようなタオルポーチに入れて持ち運ぶとサンドイッチは潰れてしまう。これは、入れたものに応じて変形するものであるため、タオルポーチ自体に収容した空間を維持しようとする剛性がないからである。また、バックやカバンの中に入れて持ち運ぶ場合にも、他の物品等によって押圧されると自由に変形してしまうからである。
本発明は当該課題に鑑み発明されたものであって、立体的な収容空間を保持することができるバックでありながら柔軟であり、かつシート状に展開したり、薄く折り畳んだりすることができるバッグの提供を課題とするものである。
【課題を解決するための手段】
【０００６】
上記課題を解決するために本発明に係るバッグは以下の構成を有する。すなわち、
中央を境界線として重ね合わせることが可能な両片を有したシート体と、
重ね合わせた際に対向する前記両片の外縁同士を係脱可能に結合するファスナー手段を有し、
前記両片を重ね合わせる際に前記境界線を中心とした所定幅の底壁を形成し、前記底壁の形成に伴って生じる撓み部を下方に折り返して前記底壁の外表面に着脱可能に固定するように構成したことを特徴とする。
【０００７】
また、本発明は上記バッグであって、前記底壁の両側縁には、折り曲げを容易にする肉薄部を設けたことを特徴とする。
【０００８】
また、本発明は上記バッグであって、前記ファスナー手段がスライドファスナーであることを特徴とする。
【０００９】
また、本発明は上記バッグであって、前記撓み部を固定する手段がスナップファスナーであることを特徴とする。
【００１０】
また、本発明は上記バッグであって、前記シート体の表面は吸水性のあるタオル生地で形成されていることを特徴とする。
【００１１】
また、本発明は上記バッグであって、前記シート体の裏面には、金属薄膜を有する防水性のシートが設けられていることを特徴とする。
【発明の効果】
【００１２】
本願発明は、立体的な収容空間を保持することができるバックでありながら柔軟であり、かつシート状に展開したり、薄く折り畳んだりすることができるという効果を有している。バッグ形状にする場合には、底部に生じる撓み部を底面側に折り返して固定するので、シートの折り曲げと重なりによって底面の剛性が高まり、バック全体として外力に対する耐性が高まり収容部の変形を抑制する効果を有している。
また、収容部内面に輻射熱を反射するシートを用いることで、収容部に収容した物品の保温を行うことができる。また、外表面にタオル素材を用いることで、保温性能を高めることができ、冷たいものを収容した場合生じやすい結露の抑制と発生した結露の吸収および蒸散効果を有している。
【図面の簡単な説明】
【００１３】
【図１】本実施の形態に係るバックの分解斜視図である。
【図２】本実施の形態に係るバックを展開した状態の説明図である。
【図３】展開した状態からバッグの形態への変形課程を表した説明図である。
【図４】展開した状態からバッグの形態への変形課程を表した説明図である。
【図５】本実施の形態に係るバックの外観斜視図である。
【図６】本実施の形態に係るバックの底面側から見た外観斜視図である。
【発明を実施するための形態】
【００１４】
以下、本発明を実施するための形態について図を用いて説明する。図１は本実施の形態に係るバッグ１の分解斜視図である。当該バッグ１は、矩形形状に形成したシート体２と、当該シート体２の外周縁に縫着するファスナー手段としてのスライドファスナー３、持ち手となる取っ手４、後にバックに底部を形成する際に用いる雄雌一対の固定手段であるスナップファスナー５、６を有している。
【００１５】
シート２には、バッグ１の内面側に配置される防水効果を有したシート２ａと、ループ（パイル）状の糸を多数織り込んだタオル生地２ｂを重ね合わせ縫製によって周囲をロックした積層シートである。防水効果を有したシート２ａには、輻射熱の反射効果を有したアルミニウム等による金属薄膜をラミネートしたシートが用いられている。当該シート２ａは、バッグ１を形成した際に収容部の内面側に配置されるようにタオル生地２ｂ上に積層されている。
【００１６】
シート２は、長方形状の矩形に形成されており、長方形状の長手方向の中間位置における中心線Ｃ−Ｃを境界とした対称形状の両片７ａ、７ｂを、当該中心線Ｃ−Ｃを中心として折り返して重ね合わせることができるようになっている。
上記シート２の外周縁には、スライドファスナー３が縫着される。スライドファスナー３は、スライダー３ａの移動に伴って、係合用のエレメント（歯）を有したテープ３ｂ、３ｃの分離および結合を行わせる結合手段である。
【００１７】
スライドファスナー３は、前記中心線Ｃ−Ｃが分離および結合するテープ３ｂ、３ｃの中間となるようにシート２の外周縁に取り付けられる。これにより中心線Ｃ−Ｃを境界としてシート２の両片７ａ、７ｂを折り返して重ね合わせた場合に、両片７ａ、７ｂの各縁部の対向部位同士がスライドファスナー３によって係脱可能に結合するようになっている。
シート２に対するスライドファスナー３の縫着の際、シート２の長手方向端縁である両片７ａ、７ｂの側縁中央には、コ字状に形成された持ち手となる取っ手４、４が、シート２とスライドファスナー３に挟まれた状態で縫着されている。取っ手４、４は、前述したタオル生地２ｂと同様のタオル生地によって形成されるものである。
【００１８】
また、本実施の形態では、中心線Ｃ−Ｃに相当する部位の末端付近に、シート２ａとタオル生地２ｂとの縫合によって生じる三角形状の縫い目が設けられる。
当該三角形状の縫い目は、シート２側縁の長手方向の中間位置（中心線Ｃ−Ｃとシート２端縁との交差部）を頂点８として、前記中心線Ｃ−Ｃに対してそれぞれ４５度を成す角度を成すように設けられた斜線（縫い目）９、１０を形成し、当該斜線９、１０の末端同士を結んだシート２の長手方向と平行な平行線１１（縫い目）を形成する。このような縫い目による三角形は、中心線Ｃ−Ｃの両端部に設けられている。また、前記斜線９、１０の末端を端点とした前記中心線Ｃ−Ｃと平行を成す縫い目１２が、前記中心線Ｃ−Ｃの両側に設けられている。
前述した縫い目９、１０、１１，１２は、縫い合わせることによって肉薄部を形成するものであり、後にシート２を折り曲げる際の折り曲げ線として折り曲げやすくすることができる部位となっている。
【００１９】
また、シート２を構成するタオル生地２ｂ表面には、前記中心線Ｃ−Ｃに沿って雄部材５と雌部材６を一対とする着脱可能な固定手段としてのスナップファスナーが設けられている。スナップファスナーを構成する雄部材５若しくは雌部材６の一方は、中心線Ｃ−Ｃの末端付近に取り付けられる。
そして、末端付近に取り付けた部材に対向する他方の雌部材６若しくは雄部材５は、中心線Ｃ−Ｃ上であって後に折り曲げ部位となる前記縫い目１１に対して対称となる位置に取り付けられる。
スナップファスナーは一例として合成樹脂によって形成されたものであり、リベット状の係合部材１３をシート２を貫通させて前記雌部材６および雄部材５と結合させることで、シート２に対して強固に取り付けられている。
【００２０】
図２は、前述した各要素を結合し、これをシート状に展開した状態のバッグ１を表している。図示されているバッグ１の上面は、バッグ１の内面に相当する部分であり、輻射熱の反射効果を有した金属薄膜を有する防水性のシート２ａが露出している面である。当該展開したシート状のバッグ１を中心線Ｃ−Ｃで折り返して両片７ａ、７ｂを重ね合わせると、当該両片７ａ、７ｂを矩形の側面とする図３に示すバッグが形成される。
図３に示した状態の時には、タオル生地２ｂが当該バッグ１の表皮を構成する。そして、中心線Ｃ−Ｃに相当する折り曲げ部位の表面には、前述したスナップファスナーの雌部材６および雄部材５が一列に設けられる。
【００２１】
雌部材と雄部材は何れが端部に設けられてもよいが、一例として折り曲げ部位の両角部１４，１５に近い部位に雌部材６がそれぞれ設けられ、当該部位から中央寄りの部分に雄部材５が設けられている。そして、両側部において対を成す雌部材６と雄部材５の間隔はそれぞれ同一であり配置が対称になっている。
なお、雌部材６と雄部材５の配置を入れ替えても差し支えが無く、着脱可能に結合するものであれば、面ファスナーや他の結合手段を用いても差し支えがないものである。
【００２２】
図３に示した矩形の側面を有するバッグ状態から、角部１４、１５を上下方向から潰してつまみ出すようにすると、図４に示すように前述した縫い目においてシートが撓み、撓み部として角部１４、１５を頂点とする三角形状の凸片１６，１７が形成される。これに伴い底面には前述した縫い目１１，１２を外形とする略矩形の底壁２０が形成される。
前記凸片１６，１７は、前記雌部材６と雄部材５の各中間位置における中心線Ｃ−Ｃと直交する方向を折り曲げ線１８，１９として底方向に折り曲げることができる。当該折り曲げ線１８，１９は、前記縫い目１１と一致する部位である。
凸片１６，１７先端を折り曲げると先端にある雌部材６が雄部材５と対向して結合可能になる。そして、撓み部である三角形状の凸片１６，１７が底壁２０側に折り曲げられると、前記折り曲げ線１８，１９の長さを横幅とする底壁２０を有した図５，図６に示すバッグ１が形成され、形状が固定される。
【００２３】
上述したように、本発明に係るバッグ１は、図２に示したシート状の展開状態から、図５，図６に示す底壁付きのバッグ状態に可逆的に変形することができる。
バッグ１は、底壁付きのバッグ状態になると前述した凸片１６，１７の折り曲げ等によつて全体の剛性が高まり、内部に形成された立体的な収容空間が型崩れしにくくなる。そのため、取っ手４を把持して内部に物品を収容したバッグを垂下させても底が抜けたように変形することはなく、収容した物品を潰してしまうようなことは無い。
また、外皮を構成するシート体２は、タオル生地と金属薄箔をラミネートとしたシートを重ね合わせたものであるのでシート体２自体も剛性を有するものであり、これを上記のように立体的に折り曲げることでバック全体としての剛性をさらに高めている。
一例として、飲料の入ったペットボトルとおむすびやサンドイッチなどを入れた場合であっても型崩れしにくく、収容したおむすびやサンドイッチを潰しにくくなっている。
【００２４】
また、バッグ１を使用しない場合には、図２に示すような完全に展開したシート状の状態、若しくは図３に示すような薄いバッグ状態にすることで、未使用時に別個のカバンに入れて持ち歩いても嵩張らないようになっている。また、完全に展開したシート状の状態では、ランチマットとしても使用可能なものとなっており、物品の収容以外にも用途があるものである。
【産業上の利用可能性】
【００２５】
本発明は、立体的な収容空間を有するとともにシート状に展開したり、薄く折り畳んだりすることができるバッグに利用可能である。
【符号の説明】
【００２６】
１  バッグ
２  シート体
２ａ  シート
２ｂ  タオル生地
３  スライドファスナー
３ｂ、３ｃ  テープ
４  取っ手
５  雄部材（スナップファスナー）
６  雌部材（スナップファスナー）
７ａ、７ｂ  両片
８  頂点
９、１０  斜線（縫い目）
１１  平行線（縫い目）
１２  縫い目
１３  係合部材
１４、１５  角部
１６，１７  凸片
１８，１９  折り曲げ線
２０  底壁
【図１】
2015073767.tif 000003
【図２】
2015073767.tif 000004
【図３】
2015073767.tif 000005
【図４】
2015073767.tif 000006
【図５】
2015073767.tif 000007
【図６】
2015073767.tif 000008